(57)【要約】【課題】  本発明は傾斜地盤面の緑化にあたって、植物の発芽率を向上せしめることを課題とする。【解決手段】  傾斜地盤面７上に形成されている植生基盤層９の下側および／または上側にヤシ繊維ネット６を被覆し、その上に金網を張設し、該金網の上からアンカーピン８，１１を打込んで該金網を該地盤面７に固定し、その上からモルタル接着剤が吹付けられている傾斜地盤面７の緑化構造を提供する。  該ヤシ繊維ネット６は網目の径ｄが１５〜３５mmであり、植物の芽が支障なく通過出来る。【選択図】  図６
2005155245.tif 000002
【特許請求の範囲】
【請求項１】
傾斜地盤面の緑化工に使用されるヤシ繊維ネットであって、網目の径が１５〜３５mmであることを特徴とする緑化用ヤシ繊維ネット。
【請求項２】
該ネットの重量は２００ｇ／ｍ2 〜５００ｇ／ｍ2 である請求項１に記載の緑化用ヤシ繊維ネット。
【請求項３】
該ネットの素線はヤシ繊維を複数本撚った撚紐を更に複数本撚ったものである請求項１または２に記載の緑化用ヤシ繊維ネット。
【請求項４】
傾斜地盤面上に形成されている植生基盤層の下側および／または上側に請求項１〜３に記載のヤシ繊維ネットを張設し、その上からアンカーピンを打込んで該植生基盤層を該地盤に固定したことを特徴とする傾斜地盤面の緑化構造。
【請求項５】
最下層および／または最上層には更に金網が張設されており、アンカーピンは最上層の該金網の上から打込まれている請求項４に記載の傾斜地盤面の緑化構造。
【請求項６】
最上層には更にモルタル接着剤が吹付けられている請求項４または５に記載の傾斜地盤面の緑化構造。
【発明の詳細な説明】
【技術分野】
【０００１】
本発明は主として傾斜地盤面を強化保護するための緑化工に使用されるヤシ繊維ネットおよび該ヤシ繊維ネットを使用した傾斜地盤面の緑化構造に関するものである。
【背景技術】
【０００２】
従来、この種の緑化工にあってはヤシ繊維マットが使用されていた。
【０００３】
【特許文献１】特公平８−１９６７９号公報（第３頁第５欄〔繊維絡合層〕）
【発明の開示】
【発明が解決しようとする課題】
【０００４】
上記ヤシ繊維マットは植生基盤層を保護し、かつ外部から飛来する種子を係留定着させるために、植生基盤層上に被覆されるものであるが、該ヤシ繊維マットは繊維密度が高く、双葉を展開する木本類等の植物は、芽が該ヤシ繊維マットを通過することが困難となり、発芽率が低下すると云う問題点がある。
【課題を解決するための手段】
【０００５】
本発明は上記従来の課題を解決するための手段として、傾斜地盤面(7) の緑化工に使用されるヤシ繊維ネット(6) であって、網目の径ｄが１５〜３５mmである緑化用ヤシ繊維ネット(6) を提供するものである。
通常該ネット(6) の重量は２００ｇ／ｍ2 〜５００ｇ／ｍ2 であり、また該ネット(6) の素線(5) はヤシ繊維を複数本撚った撚紐を更に複数本撚ったものである。
本発明にあっては、更に傾斜地盤面(7) 上に形成されている植生基盤層(9) の下側および／または上側に上記ヤシ繊維ネット(6) を張設し、その上からアンカーピン(8) を打込んで該植生基盤層(9) を該地盤(7) に固定する傾斜地盤面(7) の緑化構造が提供される。そして最下層および／または最上層には更に金網(10)が張設されており、アンカーピン(11)は最上層の該金網(10)の上から打込むことが望ましく、最上層には更にモルタル接着剤が吹付けられていることが望ましい。
【発明の効果】
【０００６】
本発明は、傾斜地盤面の緑化工において、従来のヤシ繊維マットに代えて網目の径が１５〜３５mmであるヤシ繊維ネットを使用するから、植物の芽が該ネットの網目を容易に通過出来、発芽率が格段に向上する。したがって双葉枝葉の植物の種子を導入することが出来、早期に自然に復元させることが可能である。
またヤシ繊維ネットは遮光性、遮水性があり、地盤へ日射や雨滴が達しにくゝなり、またメッシュが細かいネットでは、表層土壌の流出が防止される。更に該ヤシ繊維ネットは、ヤシ繊維が長繊維であることから、地盤を流下する水を吸収して下方へ円滑にガイドする役目をする。この効果はメッシュの粗いネットでも充分奏される効果である。したがって該ヤシ繊維ネットは特に湿潤乾燥、風あるいは降雨によって土砂が流出し易い場所に有用である。更にヤシ繊維を用いれば、地盤が乾燥し易く水分含有率が少なくなるので、寒冷地における表層地盤中の水分凍結が防止され、地盤の凍上浸食が防止される。
【発明を実施するための最良の形態】
【０００７】
〔ヤシ繊維ネット〕
ヤシ繊維はヤシ殻を粉砕解繊することによって得られる。ヤシ殻の粉砕は例えば叩解機によって行われ、解繊は例えばロール表面から多数の針を突出したピッカーロール方式の解繊機、二つのディスク間でヤシ殻粉砕物を磨砕するディスク方式の解繊機等を使用する。
得られたヤシ繊維は複数本束ねて未撚糸とし、図１に示すように該未撚糸(1) の一端を固定し、他端を撚糸具(2A)に結着して矢印イ方向に撚り撚糸(1A)とする。該撚糸(1A,1A) を二本採り、図２に示すように該撚糸(1A,1A) の一端を合一して撚糸具(2) に結着し、各撚糸(1A,1A) の他端をそれぞれ撚糸具(3,4) に結着し、撚糸具(2) と撚糸具(3,4) とを矢印イ方向に回転させつゝ各撚糸(1A,1A) を撚りネットの素線(5) とする。この際二本の撚糸(1A,1A) を撚る撚糸具(2) は撚糸(1A)撚り方向（矢印イ方向）に回転し、各撚糸(1A)は撚糸(1A)撚り方向に回転する撚糸具(3,4) によって撚りがほぐれることを防止される。
【０００８】
一般的に該素線(5) は平織りされて図３に示すネット(6) が製造される。該ネット(6) の網目径ｄは１５〜３５mm、望ましくは２０〜３０mmとされる。この範囲の網目径ｄで該ネット(6) は下側の植生基盤層を保護しかつ外来種子を係留する機能を充分果すことが出来、また双葉を展開する木本類にあっても、芽が該ネット(6) を支障なく通過することが出来る。
上記ヤシ繊維ネット(6) の傾斜地盤面緑化工における使用を以下に説明する。
【０００９】
〔傾斜地盤面〕
本発明は特に無土壌地、岩石地、石礫岩塊地、マサ風化地、シラス地、痩地、あるいは土壌硬度の高い地盤等の脆弱構造を有するかあるいは植生に適さない地盤の急傾斜地盤面に適用されて有用であるが、特にこれ等に限るものではなく、本発明は一般的な傾斜地盤面、または傾斜していない地盤面にも当然適用されるものである。
上記地盤面には直接植生基盤層が形成被覆されてもよいし、また下側金網および／または下側ヤシ繊維ネットを被覆した上で該植物基盤層が形成被覆されてもよい。該下側金網や下側ヤシ繊維ネットはアンカーピンによって地盤面に固定され、傾斜地盤面における地盤崩落を直接防止するためと、該下側金網や下側ヤシ繊維ネット上に形成される植生基盤層を保持するための目的で使用される。
【００１０】
〔地盤面に対する下側金網または下側ヤシ繊維ネットの被覆〕
上記地盤面には下側金網または下側ヤシ繊維ネットを張設してアンカーピンにて固定する。その上からモルタル接着剤を吹付けてもよい。該モルタル接着剤は特に地盤が無土壌地、岩石地、石礫岩塊地等で礫や岩の滑落によって斜面の崩落を起し易い脆弱構造を有する時には有効であり、この場合、該モルタル接着剤は特に金網またはネットのアンカーピン固定点や金網またはネットの岩石被覆部分に重点的に吹付けて、該金網あるいはネットとアンカーピンあるいは岩石との接着固定を図ったり、金網またはネットの下側の礫表面に金網またはネットを介して吹付け、礫相互を接着固定したりする。マサ風化地、シラス地、痩地、あるいは土壌硬度の高い地盤等であって植生には不適であっても斜面の崩落のおそれのない地盤では、金網またはネットで被覆してアンカーピンで固定するだけで充分であるが、金網の場合にはモルタル接着剤を金網の上から薄く吹付けておけば、金網の腐蝕を防止するためには好ましい。本発明にあっては上記下側金網や下側ヤシ繊維ネットは必須のものではない。
【００１１】
〔下側金網〕
上記下側金網としては大径の線材を使用した菱形金網を選択することが望ましい。菱形金網は亀甲金網やクリンプ金網に比して大径の線材を使用することが容易であり、大径の線材を使用すれば金網の強度および耐久性が向上し、地盤崩落防止が確実に出来るようになるし、また菱形金網においては厚みが大きくなり、下側に位置する線材が地盤面に密着しても上側に位置する線材は地盤面から浮いた状態になっており、このような浮いた状態の線材の食い込み効果によって植生基盤層が容易かつ強固に保持されるのである。更に菱形金網はコンパクトに畳むことが出来るので、重量物であっても足場の悪い急斜面でも取扱いが容易となる。該下側金網に用いられる線材としては鋼鉄線あるいは耐久性を考慮して亜鉛メッキ線材等が用いられる。
【００１２】
〔植生基盤層〕
本発明の植生基盤層は通常天然土壌、あるいはバーク堆肥、オガクズ堆肥、コンポスト、ピートモス等の人工土壌、あるいは該天然土壌、該人工土壌の二種以上の混合土壌等の土壌と種子との混合物を主体とするものであり、更に該混合物にはｐＨ調節剤、通気通水性改良剤、増粘剤、保水剤、土壌団粒化剤、侵食防止剤、養生剤、肥料等の土壌改良剤を該土壌の性質に対応して用いる。しかしながら本発明においては後記するように該植生基盤層上には上側ヤシ繊維ネットや上側金網が被覆される場合があり、その場合には該植生基盤層流出防止手段としての侵食防止剤や養生剤の添加は省略するか極く僅かにされてよい。該侵食防止剤や養生剤の多量の添加は該植生基盤層の構造を緻密にして植生を阻害するものである。更に植生基盤層としては、天然土壌や人工土壌を省き、種子と肥料との混合物であってもよい。
上記植生基盤層に使用される種子としては植生初期における土壌安定化や郷土植生の侵入を考慮して種類を選択することが望ましく、更にこのような選択された種類を数種類混合して使用することが望ましい。更に上記植生基盤層に種子を使用することなく、飛来する外来種子の付着を待ってもよい。
上記植生基盤層は通常上記混合物を地盤面に直接あるいは下側金網またはネットで被覆した地盤面上に吹付けることによって形成されるが、一回の吹付けで所望の厚さの植生基盤層が得られない場合は数回に分けて吹付けを行なってもよい。また上記植生基盤層は上記混合物からなる均一構造を取ってもよいが、組成や混合比率の異なる複数層構造にされてもよい。例えばある種の土壌改良剤により種子に対する薬害が想定される場合には種子を混合する層には害となる土壌改良剤を混合しないようにしておく。
【００１３】
〔上側ヤシ繊維ネット〕
上記のようにして形成された植生基盤層には上側ヤシ繊維ネットが被覆される。前記したように該ネットは従来のヤシ繊維マットに代わって該植生基盤層を保護し、外部から飛来する種子を係留定着させるものであり、該ネットはヤシ繊維マットと比べると双葉を展開する木本類等の芽が容易に通り抜けることが出来る。本発明にあっては上記上側ヤシ繊維ネットは必須のものではない。しかし本発明にあっては、ヤシ繊維ネットを該植生基盤層の下側および／または上側に張設することは必須の要件である。
【００１４】
〔上側金網〕
緑化構造の最上層にはには所望なれば上側金網が被覆され、そして該上側金網はアンカーピンによって地盤面に固定される。該上側金網は絡合繊維である腐朽性シートを上から押えて植生基盤層との間に隙間がないように密着させかつ植生緑化が進行して腐朽性シートが崩壊した時に崩壊物が飛散することを防止するものであり、該上側金網は強度は必要でなく柔軟性があって地盤面の凹凸になじみ易いものが望ましく、その点からみれば亀甲金網は本発明の上側金網として望ましいものである。該上側金網の線材としては鋼鉄線、あるいは耐久性を考慮して亜鉛メッキ線材、プラスチック被覆線材等が用いられる。網目の径は通常２０〜４０mmである。
山岳地帯の緑化にあっては鹿の侵入を防ぐためには鹿の蹄が網目に入り込まないような小径の網目のものが望ましい。この場合には網目の径は１６mm以下、望ましくは１４mm以下、更に望ましくは１２mm以下のものを使用する。但し金網の可撓性の点からみて、網目の径は５mm以上、望ましくは７mm以上であることが望ましい。このような径の網目を有する金網上に鹿が乗った場合には、蹄が網目に入り込まず、その結果鹿は滑って歩くことが出来なくなる。上記上側金網の線径は通常０．８〜２．０mm、望ましくは１．０〜１．２mmとされ、特に鹿侵入防止用の金網の場合には線径は０．５〜０．９mm程度とされる。
上記上側金網と上記ヤシ繊維ネットとを予め接着しておいて巻物としておけば現場にて施工の際、ヤシ繊維ネットの被覆と上側金網との被覆とが一工程で出来るし、ヤシ繊維ネットが金網により補強されるので取扱いが容易になる。該上側金網は植生層の表面全体または周囲のみに被覆されてもよい。周囲のみに被覆する場合には金網巾は３〜７ｍ、望ましくは４〜６ｍ程度とする。
【００１５】
〔モルタル接着剤〕
モルタル接着剤はセメントと天然ゴムラテックス、スチレンブタジエンゴムラテックス、ネオプレンゴムラテックス等の合成ゴムラテックス、アクリル樹脂エマルジョン、酢酸ビニル樹脂エマルジョン等の合成樹脂エマルジョン等の結着剤との混合物を主体とするものであり、更に所望なればポリビニルアルコール、カルボキシメチルセルロース等の安定剤、消泡剤、砂、砂利、石粉等の骨材、セメント硬化調節剤、セメント膨張剤等を配合したものであり、該モルタル接着剤は本発明では必須のものではないが、ヤシ繊維ネットを使用する場合には、上記ヤシ繊維ネット上面に吹付けられ、該ヤシ繊維ネットの短時間の崩壊を防止するとともに粗面を形成して外部から飛来する種子の係留定着を補強するものである。該モルタル接着剤は上記ヤシ繊維ネットを上側金網によって被覆する前に吹付けられてもよいが上側金網によって被覆してから吹付けられるのが好ましい。該モルタル接着剤の多量の吹付けは上記植生基盤層の表面を閉鎖して植物の発芽を阻害したり、外部から飛来する種子が該植生基盤層により係留されることをかえって妨害するので、該吹付け量は適量にされかつ点状にまぶし付けられることが望ましい。金網被覆後にモルタル接着剤を吹付ける場合には、金網の素線に薄くモルタル接着剤の被覆が出来る程度に吹付けるとともに、アンカーピン固定点に重点的に吹付けてアンカーピンと金網、更に金網とヤシ繊維ネットとを強固に固定し、このような固定点の複数個により植生基盤層の上面を閉鎖することなく金網を介して該ヤシ繊維ネットあるいは植生基盤層を強固に固定することが出来る。
なお、該モルタル接着剤は前記した下側金網と地盤面との固定に用いられるものと同様なものである。
【実施例】
【００１６】
図４〜図７は本発明のヤシ繊維ネット(6) が使用される緑化工の一実施例を示すものであり、図４に示すように地盤Ｇの傾斜地盤面（法面(7) ）は清掃によって浮石、ごみ等を除去され、清掃後図５に示すように該法面(7) 上には網目径２５mmのヤシ繊維ネット(6A)が被覆され、該ヤシ繊維ネット(6A)は下側アンカーピン(8) により所定箇所で該法面(7) に固定されている。図６に示すように該ヤシ繊維ネット(6A)上には土壌と種子と土壌改良剤とを主体とする混合物が吹付けられて植生基盤層(9) が形成される。図７に示すように該植生基盤層(9) 表面には上側ヤシ繊維ネット(6B)が被覆され、更にその上には亀甲金網である上側金網(10)（網目径１０mm、線径０．７mm）が被覆され、上側アンカーピン(11)により該法面(7) に固定される。
このようにして本実施例では該法面(7) は下側ヤシ繊維ネット(6A)により補強され、植生基盤層(9) は該ヤシ繊維ネット(6A)に保持され、上側金網(10)によって該法面(7) に固定されている。
【００１７】
上記構成において、植生基盤層(9) の種子が発芽し、植物の芽あるいは幼葉は該上側ヤシ繊維ネット(6B)と該上側金網(10)を貫通して成長し、根部は地盤Ｇ中に侵入してこれを強化し、植生層が形成される。そして該上側金網(10)上に鹿が乗ると鹿が滑って歩くことが出来なくなるから、植生層への鹿の侵入が防止される。
【００１８】
上記実施例は本発明を限定するものではなく、上記実施例以外例えば下側ヤシ繊維ネット(6A)は省略されてもよい。また上側金網(10)は省略されてもよい。
【００１９】
図８には本発明の他の実施例が示される。本実施例にあっては、ヤシ繊維ネット(6) の裏側に腐朽性シート(12,12) の一対が貼着される。該腐朽性シート(12)は紙、あるいは植物繊維、アセテート繊維等の腐朽性繊維からなる不織布や織布からなり、シート(12,12) 間には種Ｓが挟持接着されている。更に該シート(12,12) には肥料等が含浸あるいは挟持されている。本実施例の場合には、該シート(12,12) を植生基盤層(9) として使用出来る。
本実施例のネット(6) は地盤面(7) に直接被覆されてもよいし、地盤面(7) 上に被覆されている植生基盤層(9) 表面に被覆されてもよい。
【産業上の利用可能性】
【００２０】
本発明は主として傾斜した地盤面の緑化に適用される。本発明によれば植物の芽は植生基盤層表面に被覆されているヤシ繊維ネットを容易に通り抜けることが出来、更に植生基盤層の下側にヤシ繊維ネットが張設されている場合にあっても、該ネットの下側に入り込んだ植物の芽は、該ネットを容易に通り抜けることが出来、発芽率が大巾に向上する。
【図面の簡単な説明】
【００２１】
図１〜図３はヤシ繊維ネットの製造工程の一実施例を示す。
【図１】未撚糸撚り工程説明図
【図２】二本の未撚糸撚り工程（素線製造工程）説明図
【図３】ネット部分平面図  図４〜図７は本発明のヤシ繊維ネットが使用される緑化工の一実施例を示す。
【図４】法面清掃説明図
【図５】下側ヤシ繊維ネット被覆説明図
【図６】植生基盤層形成説明図
【図７】上側金網、ヤシ繊維ネット被覆説明図
【図８】他の実施例のネット部分斜視図
【符号の説明】
【００２２】
5     素線
6     ヤシ繊維ネット
7     地盤面（法面）
8     下側アンカーピン
9     植生基盤層
11    上側アンカーピン
ｄ    網目径
【図１】
2005155245.tif 000003
【図２】
2005155245.tif 000004
【図３】
2005155245.tif 000005
【図４】
2005155245.tif 000006
【図５】
2005155245.tif 000007
【図６】
2005155245.tif 000008
【図７】
2005155245.tif 000009
【図８】
2005155245.tif 000010